Podtech/llm-jp-corpus-v4-ja_patent huggingface dataset:
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
画面に表示される画像のうち、指定された任意の領域を拡大して表示させることが可能な情報処理装置であって、
与えられた指示に基づいて前記画面に表示された画像を複数の領域に分割する分割手段と、
前記分割手段により分割された前記画像の各領域を識別する識別手段と、
前記識別手段により識別された各領域を前記表示された画像に関連づけて記憶手段に記憶する記憶制御手段と、
前記各領域を指定するための指定情報を更新指示する更新指示手段と、を備え、
前記指定情報によって指定された領域を、前記画面の大きさに応じて拡大して表示することを特徴とする情報処理装置。
【請求項２】
前記分割手段は、
与えられた指示に基づいて、前記画面に表示されている区切り線を移動することにより分割する領域を決定することを特徴とする請求項１に記載の情報処理装置。
【請求項３】
前記分割された画像の領域を、与えられた指示に基づいて順番に表示し、最後の領域を表示し終わると、前記画像の全体を表示することを特徴とする請求項１に記載の情報処理装置。
【請求項４】
画面に表示される画像のうち、指定された任意の領域を拡大して表示させることが可能な情報処理装置であって、
与えられた指示に基づいて前記画面に表示された画像を複数の領域に分割する分割手段と、
前記分割手段により分割された前記画像の各領域を識別する識別手段と、
前記識別手段により識別した各領域を前記表示された画像に関連づけて記憶手段に記憶する第１の記憶制御手段と、
前記識別手段により識別された各領域と与えられた指示情報とを関連づけて記憶手段に記憶する第２の記憶制御手段と、
前記各領域を指定するための指定情報を更新指示する手段と、を備え、
前記指定情報によって指定された領域を、前記画面の大きさに応じて拡大して表示することを特徴とする情報処理装置。
【請求項５】
画面に表示される画像のうち、指定された任意の領域を拡大して表示させることが可能な情報処理方法であって、
与えられた指示に基づいて前記画面に表示された画像を複数の領域に分割する分割工程と、
前記分割工程により分割された前記画像の各領域を識別する識別工程と、
前記識別工程により識別された各領域を前記表示された画像に関連付けて記憶する第１の記憶制御工程と、
前記識別工程により識別された各領域と与えられた指示情報とを関連付けて記憶する第２の記憶制御工程と、
前記各領域を指定するための指定情報を更新指示する更新指示工程と、を備え、
前記指定情報によって指定された領域を前記画面の大きさに応じて拡大して表示することを特徴とする情報処理方法。
【請求項６】
前記分割工程は、
与えられた指示に基づいて、前記画面に表示されている区切り線を移動することにより分割する領域を決定することを特徴とする請求項５に記載の情報処理方法。
【請求項７】
請求項５に記載の情報処理方法をコンピュータによって実行させるための制御プログラムを格納したコンピュータ読取可能な記憶媒体。
【請求項８】
請求項５に記載の情報処理方法をコンピュータによって実行させるための制御プログラム。
【手続補正２】
【補正対象書類名】明細書
【補正対象項目名】００１０
【補正方法】変更
【補正の内容】
【００１０】
上記の目的を達成するために本発明に係る情報処理装置は以下のような構成を備える。即ち、
画面に表示される画像のうち、指定された任意の領域を拡大して表示させることが可能な情報処理装置であって、
与えられた指示に基づいて前記画面に表示された画像を複数の領域に分割する分割手段と、
前記分割手段により分割された前記画像の各領域を識別する識別手段と、
前記識別手段により識別した各領域を前記表示された画像に関連づけて記憶手段に記憶する第１の記憶制御手段と、
前記識別手段により識別された各領域と与えられた指示情報とを関連づけて記憶手段に記憶する第２の記憶制御手段と、
前記各領域を指定するための指定情報を更新指示する手段と、を備え、
前記指定情報によって指定された領域を、前記画面の大きさに応じて拡大して表示することを特徴とする。
【手続補正書】
【提出日】平成20年3月17日(2008.3.17)
【手続補正１】
【補正対象書類名】明細書
【補正対象項目名】発明の名称
【補正方法】変更
【補正の内容】
【発明の名称】エレクトロルミネッセンス表示装置の作製方法
【手続補正２】
【補正対象書類名】特許請求の範囲
【補正対象項目名】全文
【補正方法】変更
【補正の内容】
【特許請求の範囲】
【請求項１】
基板上に形成された第１の下地絶縁膜と、前記第１の下地絶縁膜上に形成された前記第２の下地絶縁膜と、からなる絶縁表面を有するエレクトロルミネッセンス表示装置の作製方法であって、
前記絶縁表面上の第１の領域に、半導体層、ゲート絶縁膜、及びゲート電極が順次積層された積層構造を形成するとともに、前記絶縁表面上の第２の領域に前記ゲート絶縁膜を形成し、
前記第１の領域の前記ゲート絶縁膜及び前記半導体層と、前記第２の領域の前記ゲート絶縁膜及び前記第１の下地膜と、に一導電型を有する不純物を同時に添加し、
前記半導体層、前記ゲート絶縁膜、及び前記ゲート電極を覆う第１の層間絶縁膜を形成し、
ウェットエッチングをすることにより、前記第１の領域の前記第１の層間絶縁膜に前記半導体層に達する第１のコンタクトホールを形成するとともに、前記第２の領域の前記第１の層間絶縁膜に前記第１の下地絶縁膜に達する開口部を形成し、
前記第１の層間絶縁膜上に、第１の前記コンタクトホールを介して前記半導体層に電気的に接続される配線を形成し、
前記第１の層間絶縁膜、前記開口部、及び前記配線を覆う第２の層間絶縁膜を形成し、
前記第２の層間絶縁膜に前記配線に達する第２のコンタクトホールを形成し、
前記第２の領域の前記第２の層間絶縁膜上に、前記第２のコンタクトホールを介して前記配線に電気的に接続される画素電極を形成することを特徴とするエレクトロルミネッセンス表示装置の作製方法。
【請求項２】
請求項１において、
前記第２の層間絶縁膜は、自己平坦性を有する材料からなることを特徴とするエレクトロルミネッセンス表示装置の作製方法。
【請求項３】
請求項１において、
前記第２の層間絶縁膜は、アクリル、ポリイミド、又はシロキサンであることを特徴とするエレクトロルミネッセンス表示装置の作製方法。
【請求項４】
基板上に形成された第１の下地絶縁膜と、前記第１の下地絶縁膜上に形成された前記第２の下地絶縁膜と、からなる絶縁表面を有するエレクトロルミネッセンス表示装置の作製方法であって、
前記絶縁表面上の第１の領域に、半導体層、ゲート絶縁膜、及びゲート電極が順次積層された積層構造を形成するとともに、前記絶縁表面上の第２の領域に前記ゲート絶縁膜を形成し、
前記第１の領域の前記ゲート絶縁膜及び前記半導体層と、前記第２の領域の前記ゲート絶縁膜及び前記第１の下地膜と、に一導電型を有する不純物をマスクを用いて同時に添加し、
前記マスクを用いてウェットエッチングをすることにより、前記第１の領域の前記ゲート絶縁膜と、前記第２の領域の前記ゲート絶縁膜及び前記第２の下地絶縁膜を除去し、
前記マスクを除去し、
前記半導体層、前記ゲート絶縁膜、前記ゲート電極、及び前記第１の下地絶縁膜を覆う層間絶縁膜を形成し、
前記第１の領域の前記層間絶縁膜に前記半導体層に達するコンタクトホールを形成し、
前記第２の領域の前記層間絶縁膜上に、前記コンタクトホールを介して前記半導体層に電気的に接続される画素電極を形成することを特徴とするエレクトロルミネッセンス表示装置の作製方法。
【請求項５】
基板上に形成された第１の下地絶縁膜と、前記第１の下地絶縁膜上に形成された前記第２の下地絶縁膜と、からなる絶縁表面を有するエレクトロルミネッセンス表示装置の作製方法であって、
前記絶縁表面上の第１の領域に、半導体層、ゲート絶縁膜、及びゲート電極が順次積層された積層構造を形成するとともに、前記絶縁表面上の第２の領域に前記ゲート絶縁膜を形成し、
前記第１の領域の前記ゲート絶縁膜及び前記半導体層と、前記第２の領域の前記ゲート絶縁膜及び前記第１の下地膜と、に一導電型を有する不純物をマスクを用いて同時に添加し、
前記マスクを除去し、
ウェットエッチングをすることにより、前記第１の領域の前記ゲート絶縁膜と、前記第２の領域の前記ゲート絶縁膜及び前記第２の下地絶縁膜を除去し、
前記半導体層、前記ゲート絶縁膜、前記ゲート電極、及び前記第１の下地絶縁膜を覆う層間絶縁膜を形成し、
前記第１の領域の前記層間絶縁膜に前記半導体層に達するコンタクトホールを形成し、
前記第２の領域の前記層間絶縁膜上に、前記コンタクトホールを介して前記半導体層に電気的に接続される画素電極を形成することを特徴とするエレクトロルミネッセンス表示装置の作製方法。
【請求項６】
請求項４又は請求項５において、
前記層間絶縁膜は、自己平坦性を有する材料からなることを特徴とするエレクトロルミネッセンス表示装置の作製方法。
【請求項７】
請求項４又は請求項５において、
前記層間絶縁膜は、アクリル、ポリイミド、又はシロキサンであることを特徴とするエレクトロルミネッセンス表示装置の作製方法。
【請求項８】
請求項１乃至請求項７のいずれか一項において、
前記第１の下地絶縁膜は、窒化珪素系の膜であり、
前記第２の下地絶縁膜は、酸化珪素系の膜であり、
前記ウェットエッチングは、フッ酸系の薬液を用いて行われることを特徴とするエレクトロルミネッセンス表示装置の作製方法。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
単位画素が第１の副画素とカラーフィルタを備えた第２の副画素とを含む複数の副画素から構成され、各副画素に印加電圧に応じて光学的性質を変化させる媒体が配置されたカラー表示素子であって、
前記第１の副画素に配置された前記媒体の光学的性質を、前記媒体を通過する光の明度が変化する範囲と前記媒体を通過する光が有彩色を呈し該有彩色の色相が変化する範囲とにおいて変調する電圧を、前記第１の副画素に印加する手段と、
前記第２の副画素に配置された前記媒体の光学的性質を、前記媒体を通過する光の明度が変化する範囲において変調する電圧を前記第２の副画素に印加する手段と、
前記カラー表示素子の表示を切り替える際に、切り替え前の前記第１の副画素への印加電圧と切り替え後の前記第１の副画素への印加電圧とから、第２の副画素の補正電圧を算定する手段と、
前記第１の副画素への印加電圧を切り替えた後の所定期間、切り替え後の表示に応じた前記第２の副画素の電圧に前記補正電圧を重畳した電圧を前記第２の副画素への印加電圧とする手段とをさらに有し、
前記補正電圧は、前記表示の切り替えに際して前記第１の副画素に過渡的に生じる有彩色を、前記第２の副画素の色と混合して無彩色にする電圧であることを特徴とするカラー表示素子。
【請求項２】
前記第１の副画素に前記第２の副画素のカラーフィルタと補色関係にあるカラーフィルタが備えられたことを特徴とする請求項１に記載のカラー表示素子。
【請求項３】
前記第２の副画素が、赤、緑、青のカラーフィルタを備えた３つの副画素からなり、
前記補正電圧を算定する手段が、前記表示の切り替えに際して前記第１の副画素に生じる過渡的な色を前記３つの副画素の色と混合して無彩色にする補正電圧を算定することを特徴とする請求項１または２に記載のカラー表示素子。
【請求項４】
前記補正電圧を算定する手段が、切り替え前の前記第１の副画素への印加電圧と切り替え後の前記第１の副画素への印加電圧とから前記補正電圧を定める参照テーブルを有していることを特徴とする請求項１に記載のカラー表示素子。
【請求項５】
印加電圧に応じて光学的性質が変化する媒体を含むカラー表示素子の駆動方法であって、第１の副画素とカラーフィルタを有する第２の副画素とを含む複数の副画素で単位画素を構成し、
前記第１の副画素に、該媒体を通過する光の明度が変化する範囲と該媒体を通過する光が有彩色を呈し該有彩色の色相が変化する範囲とにわたり前記媒体の光学的性質を変調する電圧を印加し、
前記第２の副画素に、該媒体を通過する光の明度が変化する範囲で前記媒体の光学的性質を変調する電圧を印加することを特徴とするカラー表示素子の駆動方法であって、
前記カラー表示素子の表示を切り替える際に、切り替え前の前記第１の副画素への印加電圧と切り替え後の前記第１の副画素への印加電圧とから、第２の副画素の補正電圧を算定するステップと、前記第１の副画素への印加電圧を切り替えた後の所定期間、切り替え後の表示に応じた前記第２の副画素の電圧に前記補正電圧を重畳した電圧を前記第２の副画素への印加電圧とするステップとを有することを特徴とするカラー表示素子の駆動方法。
【手続補正２】
【補正対象書類名】明細書
【補正対象項目名】００２７
【補正方法】変更
【補正の内容】
【００２７】
本発明は、単位画素が第１の副画素とカラーフィルタを備えた第２の副画素とを含む複数の副画素から構成され、各副画素に印加電圧に応じて光学的性質を変化させる媒体が配置されたカラー表示素子であって、
前記第１の副画素に配置された前記媒体の光学的性質を、前記媒体を通過する光の明度が変化する範囲と前記媒体を通過する光が有彩色を呈し該有彩色の色相が変化する範囲とにおいて変調する電圧を、前記第１の副画素に印加する手段と、
前記第２の副画素に配置された前記媒体の光学的性質を、前記媒体を通過する光の明度が変化する範囲において変調する電圧を前記第２の副画素に印加する手段と、
前記カラー表示素子の表示を切り替える際に、切り替え前の前記第１の副画素への印加電圧と切り替え後の前記第１の副画素への印加電圧とから、第２の副画素の補正電圧を算定する手段と、前記第１の副画素への印加電圧を切り替えた後の所定期間、切り替え後の表示に応じた前記第２の副画素の電圧に前記補正電圧を重畳した電圧を前記第２の副画素への印加電圧とする手段とをさらに有し、
前記補正電圧は、前記表示の切り替えに際して前記第１の副画素に過渡的に生じる有彩色を、前記第２の副画素の色と混合して無彩色にする電圧であることを特徴とする。
【手続補正書】
【提出日】平成20年7月8日(2008.7.8)
【手続補正１】
【補正対象書類名】明細書
【補正対象項目名】００３９
【補正方法】変更
【補正の内容】
【００３９】
グラフＧＨに曲線を描く操作は次のようなものである。図５に示すように、グラフＧＨ上の任意の位置Ｐ１が、操作者によるマウス２４を用いたクリック操作により指定されることで、グラフＧＨには、横軸の左端（輝度Ｌ＝０、色度ａ、ｂの増減値＝０の点）Ｐ２と、クリックされた点Ｐ１と、横軸の右端（輝度Ｌ＝１００、色度ａ、ｂの増減値＝０の点）Ｐ３を結ぶ曲線Ｃ１が描かれる。図示するように、右側のラジオボタンＲＢ１が選択状態にある場合には、その曲線Ｃ１は、色度ａについてのものとなる。この結果、操作者は、輝度Ｌの各値に対して色度ａを増やす（曲線Ｃ１は、縦軸の中央より上部であるため）、すなわち赤を強くする量を、曲線Ｃ１に従うように指定することができる。なお、曲線Ｃ１が縦軸の中央より下部に位置するように描かれた場合には、輝度Ｌの各値に対して色度ａを減らす、すなわち緑を強くする量を指定することができる。
【手続補正２】
【補正対象書類名】明細書
【補正対象項目名】００４０
【補正方法】変更
【補正の内容】
【００４０】
一方、図６に示したように、クリック操作によりラジオボタンＲＢ２が選択された状態で、グラフＧＨ上の任意の位置Ｐ４が、マウス２４を用いたクリック操作により指定されることで、グラフＧＨには、横軸の左端（輝度Ｌ＝０、色度ａ、ｂの増減値＝０の点）Ｐ２と、クリックされた点Ｐ１と、横軸の右端（輝度Ｌ＝１００、色度ａ、ｂの増減値＝０の点）Ｐ３を結ぶ曲線Ｃ２が描かれる。左側のラジオボタンＲＢ２が選択状態にある場合には、その曲線Ｃ２は、色度ｂについてのものとなる。この結果、操作者は、輝度Ｌの各値に対して色度ｂを減らす（曲線Ｃ２は、縦軸の中央より下部であるため）、すなわち青を強くする量を、曲線Ｃ２に従うように指定することができる。なお、曲線Ｃ２が縦軸の中央より上部に位置するように描かれた場合には、輝度Ｌの各値に対して色度ｂを増やす、すなわち黄を強くする量を指定することができる。
【手続補正３】
【補正対象書類名】明細書
【補正対象項目名】００７１
【補正方法】変更
【補正の内容】
【００７１】
３．他の実施形態：
なお、この発明は上記の第１，第２実施例や変形例に限られるものではなく、本発明の要旨を逸脱しない範囲において種々なる態様にて実施することが可能であり、例えば次のような変形も可能である。
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
複数の光電変換素子に蓄積された電荷を読み出して画像信号を出力する出力手段と、
前記画像信号を用いてオートフォーカス処理を行うオートフォーカス手段と、
第１の信号と第２の信号を出力するための操作部材と、
前記画像信号から生成した画像における人の顔領域を検出する顔検出手段と、
前記画像信号をフォーマット変換してメモリに記録する記録手段とを有し、
前記顔検出手段は、前記操作部材により前記第１の信号が出力される前に前記顔領域の検出を行い、
前記オートフォーカス手段は、前記第１の信号が出力された後に前記複数の光電変換素子で生成された画像信号を用いて、前記第１の信号が出力される前に前記顔検出手段により検出された顔領域の位置に対してオートフォーカス処理を行い、
前記記録手段は、前記オートフォーカス処理が行われてから、前記操作部材により前記第２の信号が出力された後に前記複数の光電変換素子で生成された画像信号をフォーマット変換して前記メモリに記録する
ことを特徴とする撮像装置。
【請求項２】
更に、
前記画像信号に対して第１の画像処理を行う第１の画像処理手段と、
前記画像信号に対して第２の画像処理を行う第２の画像処理手段とを有し、
前記顔検出手段は、前記第１の画像処理が施された画像信号から生成した画像における顔領域を検出し、
前記記録手段は、前記第２の画像処理が施された画像信号をフォーマット変換して前記メモリに記憶し、
前記第１の画像処理は前記第２の画像処理よりも簡易な画像処理であることを特徴とする請求項１に記載の撮像装置。
【手続補正２】
【補正対象書類名】明細書
【補正対象項目名】０００８
【補正方法】変更
【補正の内容】
【０００８】
即ち、複数の光電変換素子に蓄積された電荷を読み出して画像信号を出力する出力手段と、
前記画像信号を用いてオートフォーカス処理を行うオートフォーカス手段と、
第１の信号と第２の信号を出力するための操作部材と、
前記画像信号から生成した画像における人の顔領域を検出する顔検出手段と、
前記画像信号をフォーマット変換してメモリに記録する記録手段とを有し、
前記顔検出手段は、前記操作部材により前記第１の信号が出力される前に前記顔領域の検出を行い、
前記オートフォーカス手段は、前記第１の信号が出力された後に前記複数の光電変換素子で生成された画像信号を用いて、前記第１の信号が出力される前に前記顔検出手段により検出された顔領域の位置に対してオートフォーカス処理を行い、
前記記録手段は、前記オートフォーカス処理が行われてから、前記操作部材により前記第２の信号が出力された後に前記複数の光電変換素子で生成された画像信号をフォーマット変換して前記メモリに記録する
ことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００３８
【補正方法】削除
【補正の内容】
【手続補正６】
【補正対象書類名】明細書
【補正対象項目名】０１１９
【補正方法】削除
【補正の内容】
【手続補正７】
【補正対象書類名】図面
【補正対象項目名】図２
【補正方法】変更
【補正の内容】
【図２】
2007081991.tif 000001
【手続補正８】
【補正対象書類名】図面
【補正対象項目名】図９
【補正方法】変更
【補正の内容】
【図９】
2007081991.tif 000002
【手続補正書】
【提出日】平成20年9月10日(2008.9.10)
【手続補正１】
【補正対象書類名】明細書
【補正対象項目名】００２２
【補正方法】変更
【補正の内容】
【００２２】
画面並べ替え回路２３は、図２に示す階層化回路１０から入力したインターレース画像データＳ１０＿２をピクチャタイプＩ，Ｐ，ＢからなるＧＯＰ(Group Of Pictures) 構造に応じて、符号化する順番に並べ替えて、演算回路３１、イントラ予測回路４２および動き予測・補償回路４３に出力する。
演算回路３１は、画面並べ替え回路２３から入力した符号化対象のピクチャデータを、イントラ予測回路４２あるいは動き予測・補償回路４３から入力した予測画像データＰＩとの差分を示す画像データを生成し、これを直交変換回路３２に出力する。
直交変換回路３２は、演算回路３１から入力した画像データに離散コサイン変換（ＤＣＴ：Discrete Cosine Transform）やカルーネン・レーベ変換などの直交変換を施して変換係数を示す画像データ（例えばＤＣＴ係数）を生成し、これを量子化回路３３に出力する。
【手続補正２】
【補正対象書類名】明細書
【補正対象項目名】００４４
【補正方法】変更
【補正の内容】
【００４４】
ステップＳＴ２０：
イントラフィールド予測画像生成回路２１は、ステップＳＴ１５またはステップＳＴ１９で生成した予測ブロックデータのラインデータＰＲＥＤ［ｉ］を下位予測画像データＬ＿ＰＲＥｂ（ＦＩ）として上位レイヤ符号化回路１４に出力。
【手続補正３】
【補正対象書類名】明細書
【補正対象項目名】００５９
【補正方法】変更
【補正の内容】
【００５９】
図１３は、図２に示す上位レイヤ符号化回路１４の構成図である。
図１３に示すように、上位レイヤ符号化回路１４は、例えば、画面並べ替え回路１２３、演算回路１３１、直交変換回路１３２、量子化回路１３３、レート制御回路１３４、可逆符号化回路１３５、バッファメモリ１３６、逆量子化回路１３７、逆直交変換回路１３８、加算回路１３９、デブロックフィルタ１４０、フレームメモリ１４１、イントラ予測回路１４２、並びに動き予測・補償回路１４３、下位レイヤ予測回路１４５を有する。
【手続補正４】
【補正対象書類名】明細書
【補正対象項目名】００６４
【補正方法】変更
【補正の内容】
【００６４】
動き予測・補償回路１４３は、既に符号化後に局所復号されてフレームメモリ１４１に記憶されている参照ピクチャデータＲＥＦを基に動き予測を行い、符号化対象のピクチャデータＯＲＧの処理対象のブロックデータとの差分を最小にする動きベクトルおよび動き補償のブロックサイズを決定する。
動き予測・補償回路１４３は、ブロックサイズとして、１６ｘ１６、１６ｘ８、８ｘ１６、８ｘ８、８ｘ４、４ｘ８および４ｘ４画素を用いる。
動き予測・補償回路１４３は、インター予測が選択された場合に、インター予測による予測画像データＰＩを演算回路１３１および加算回路１３９に出力する。
【手続補正書】
【提出日】平成20年9月5日(2008.9.5)
【手続補正１】
【補正対象書類名】明細書
【補正対象項目名】００２２
【補正方法】変更
【補正の内容】
【００２２】
第１の右側アームも、第１の左側アームと同様に、左右方向に延びた状態で、一端が右眼用表示ユニットに固定される。また、第２の右側アームの一端は、第１の部位に回転軸をはさんで対向し、回転軸から、第１の部位と回転軸との距離と同じ距離だけ離れた位置にある第２の部位で回転部材と接続されている。また、第１の右側アームの他端は、第２の右側アームの他端に回動自在に接続されている。
【手続補正２】
【補正対象書類名】明細書
【補正対象項目名】００３５
【補正方法】変更
【補正の内容】
【００３５】
また、表示ユニット１０ｂにも、表示ユニット１０ａと同様に、図示しない表示部や光学部と、ユーザが右眼で覗くためのレンズ１１ｂとが固定されており、側面はフレーム１２ｂで覆われている。また、フレーム１２ｂの上下側面には、フレーム１２ａと同様に、ユーザの指がすべらないように、すべり止め１３ｂが取り付けられている。
【手続補正３】
【補正対象書類名】明細書
【補正対象項目名】００４２
【補正方法】変更
【補正の内容】
【００４２】
図３に示すヘッドマウントディスプレイ１００Ａは、回転部材１５が、アーム２４ａおよびアーム２５ａを介して表示ユニット１０ａに接続されている上、アーム２４ｂおよびアーム２５ｂを介して表示ユニット１０ｂに接続されている。
【手続補正４】
【補正対象書類名】明細書
【補正対象項目名】００４４
【補正方法】変更
【補正の内容】
【００４４】
アーム２４ｂも、アーム２４ａと同様に、左右方向に延びた状態で、一端がフレーム１２ｂの左側面に固定されている。また、アーム２５ｂは、一端が回転部材１５の接続部位１５ｂに回動自在に接続されており、アーム２５ｂの他端は、アーム２４ｂの他端に回動自在に接続されている。このとき、アーム２４ｂは第１の右側アームを構成し、アーム２５ｂは第２の右側アームを構成している。
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
被写体を撮像し、画像データを取得する撮像手段と、
前記画像データを記憶媒体に記録する記録手段と、
外部装置と通信するための通信手段と、
前記撮像手段による撮像後、前記画像データを所定時間表示する表示手段と、
前記表示手段に前記画像データを表示中に、当該画像データの消去を指示する指示手段と、
前記指示手段により消去の指示がされた場合に、前記画像データを消去する消去手段と、
制御手段とを有し、
前記制御手段は、
前記記録手段による前記記憶媒体への前記画像データの記録と、前記通信手段による前記外部装置への前記画像データの送信とが並行して行われている場合に、前記指示手段を無効化し、
前記記録手段による前記記憶媒体への前記画像データの記録と、前記通信手段による前記外部装置への前記画像データの送信のいずれか一方が行われている場合に、前記指示手段を有効化することを特徴とする撮像装置。
【請求項２】
前記記録手段による前記記憶媒体への前記画像データの記録と、前記通信手段による前記外部装置への前記画像データの送信のいずれか一方を行うか、両方を並行して行うかを選択する選択手段を更に有することを特徴とする請求項１に記載の撮像装置。
【請求項３】
前記記憶媒体の状態を判断する手段と、
前記外部装置との通信状態を判断する手段と、
前記記憶媒体の状態及び前記通信状態に基づいて、前記記録手段による前記記憶媒体への前記画像データの記録と、前記通信手段による前記外部装置への前記画像データの送信のいずれか一方を行うか、両方を並行して行うかを決定する決定手段と
を更に有することを特徴とする請求項１に記載の撮像装置。
【請求項４】
前記撮像手段により取得した画像データを保存する一時記憶手段を更に有し、
前記消去手段は、前記一時記憶手段及び前記記録手段から、前記画像データを消去することを特徴とする請求項１乃至３のいずれか１項に記載の撮像装置。
【請求項５】
被写体を撮像し、画像データを取得する撮像手段と、前記画像データを記憶媒体に記録する記録手段と、外部装置と通信するための通信手段と、前記撮像手段による撮像後、前記画像データを所定時間表示する表示手段と、前記表示手段に前記画像データを表示中に、当該画像データの消去を指示する指示手段と、前記指示手段により消去の指示がされた場合に、前記画像データを消去する消去手段とを有する撮像装置の制御方法であって、
前記記録手段による前記記憶媒体への前記画像データの記録と、前記通信手段による前記外部装置への前記画像データの送信とが並行して行われている場合に、前記指示手段を無効化する工程と、
前記記録手段による前記記憶媒体への前記画像データの記録と、前記通信手段による前記外部装置への前記画像データの送信のいずれか一方が行われている場合に、前記指示手段を有効化する工程と
を有することを特徴とする撮像装置の制御方法。
【請求項６】
前記記録手段による前記記憶媒体への前記画像データの記録と、前記通信手段による前記外部装置への前記画像データの送信のいずれか一方を行うか、両方を並行して行うかを選択する工程を更に有することを特徴とする請求項５に記載の撮像装置の制御方法。
【請求項７】
前記記憶媒体の状態を判断する工程と、
前記外部装置との通信状態を判断する工程と、
前記記憶媒体の状態及び前記通信状態に基づいて、前記記録手段による前記記憶媒体への前記画像データの記録と、前記通信手段による前記外部装置への前記画像データの送信のいずれか一方を行うか、両方を並行して行うかを決定する工程と
を更に有することを特徴とする請求項５に記載の撮像装置の制御方法。
【請求項８】
前記撮像装置は、前記撮像手段により取得した画像データを保存する一時記憶手段を更に有し、前記消去手段は、前記一時記憶手段及び前記記録手段から、前記画像データを消去することを特徴とする請求項５乃至７のいずれか１項に記載の撮像装置の制御方法。
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
読取画像に対応する画像を表示する画像処理装置であって、
複数の画像データを保存する記憶手段と、
読取画像を表示する表示手段と、
前記表示手段で表示した読取画像と、前記記憶手段に保存された画像データとを比較する比較手段と、
前記比較手段の比較結果に基づいて、前記読取画像に代えて、前記比較手段で比較した画像データに対応する画像を前記表示手段に表示する表示制御手段と
を備えることを特徴とする画像処理装置。
【請求項２】
前記表示制御手段は、前記比較手段の比較結果として計算された類似度が所定閾値以上である場合、前記読取画像に代えて、前記比較手段で比較した画像データに対応する画像を前記表示手段に表示する
を備えることを特徴とする請求項１に記載の画像処理装置。
【請求項３】
前記表示制御手段は、前記比較手段の比較結果として計算された類似度が所定閾値未満の画像データが前記記憶手段に存在する場合、前記読取画像に対応する画像データの候補が存在することを示し、かつそれに対する操作に応じてその画像データに対応する画像の表示を実行する候補画像表示指示部を、前記表示手段で表示される読取画像上にオーバレイ表示する
ことを特徴とする請求項１に記載の画像処理装置。
【請求項４】
前記候補画像表示指示部は、複数の画像データの候補を表示し、かつ選択するための操作画面である
ことを特徴とする請求項３に記載の画像処理装置。
【請求項５】
前記記憶手段は、画像データと、それに関連付けられている関連オブジェクトを保存し、
前記表示制御手段は、前記読取画像に代えて、前記表示手段に表示する前記比較手段で比較した画像データに前記関連オブジェクトが関連付けられている場合には、前記比較手段で比較した画像データに対応する画像と、その関連オブジェクトを操作するための操作部を表示する
ことを特徴とする請求項１に記載の画像処理装置。
【請求項６】
前記関連オブジェクトは、音声情報、複数画像のスライドショー、動画の少なくとも１つである
ことを特徴とする請求項５に記載の画像処理装置。
【請求項７】
前記操作部は、前記関連オブジェクトを再生するための操作コントロールである
ことを特徴とする請求項６に記載の画像処理装置。
【請求項８】
読取画像に対応する画像を表示する画像処理装置の制御方法であって、
読取画像を表示部に表示する表示工程と、
前記表示工程で表示した読取画像と、記憶媒体に予め保存された画像データとを比較する比較工程と、
前記比較工程の比較結果に基づいて、前記読取画像に代えて、前記比較工程で比較した画像データに対応する画像を前記表示部に表示する表示制御工程と
を備えることを特徴とする画像処理装置の制御方法。
【請求項９】
読取画像に対応する画像を表示する画像処理装置の制御をコンピュータに実行させるためのプログラムであって、
読取画像を表示部に表示する表示工程と、
前記表示工程で表示した読取画像と、記憶媒体に予め保存された画像データとを比較する比較工程と、
前記比較工程の比較結果に基づいて、前記読取画像に代えて、前記比較工程で比較した画像データに対応する画像を前記表示部に表示する表示制御工程と
をコンピュータに実行させることを特徴とするプログラム。
【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
動画データと静止画データとを含む複数の画像データを画面上に一覧表示させる画像表示方法であって、
前記複数の画像データの表示画面における表示位置を決定する決定工程と、
前記決定工程で決定された表示位置に各画像データを表示するように制御する表示制御工程とを備え、
前記決定工程は、前記表示画面上の所定範囲に複数の動画データが存在しないように、前記複数の画像データの表示位置を決定することを特徴とする画像表示方法。
【請求項２】
前記所定範囲は、前記表示画面の縦横それぞれを所定数で分割して得られる分割領域であることを特徴とする請求項１に記載の画像表示方法。
【請求項３】
前記縦横それぞれの分割数は、前記表示画面の大きさに基づいて決定されることを特徴とする請求項２に記載の画像表示方法。
【請求項４】
前記所定範囲は、動画データの表示位置を中心とした所定半径の円領域であることを特徴とする請求項１に記載の画像表示方法。
【請求項５】
前記所定半径は、前記表示画面の大きさに基づいて決定されることを特徴とする請求項４に記載の画像表示方法。
【請求項６】
動画データと静止画データとを含む複数の画像データを画面上に一覧表示させる画像表示方法であって、
前記複数の画像データの表示画面における表示位置を決定する決定工程と、
前記決定工程で決定された表示位置に各画像データを表示するように制御する表示制御工程とを備え、
前記表示制御工程は、前記表示画面上の所定範囲内に複数の動画データが配置された場合、該複数の動画データのうちの一つの動画データを再生することを特徴とする画像表示方法。
【請求項７】
前記表示制御工程は、前記所定範囲内に存在する複数の動画データを順に一つずつ再生することを特徴とする請求項６に記載の画像表示方法。
【請求項８】
前記表示制御工程は、前記所定範囲内に存在する複数の動画データのうち、ユーザにより指定された動画データを再生することを特徴とする請求項６に記載の画像表示方法。
【請求項９】
前記表示画面と視聴者との距離を測定する測定工程と、
前記所定範囲のサイズを前記測定工程の測定結果に基づいて決定するサイズ決定工程とを更に備えることを特徴とする請求項１乃至８のいずれか１項に記載の画像表示方法。
【請求項１０】
前記表示制御工程は、前記表示画面上に表示された複数の動画データのうちユーザによって指定された動画データを通常速度で再生し、他の動画データをスローモードで再生することを特徴とする請求項１乃至９のいずれか１項に記載の画像表示方法。
【請求項１１】
動画データと静止画データとを含む複数の画像データを画面上に一覧表示させる画像表示装置であって、
前記複数の画像データの表示画面における表示位置を決定する決定手段と、
前記決定手段で決定された表示位置に各画像データを表示するように制御する表示制御手段とを備え、
前記決定手段は、前記表示画面上の所定範囲に複数の動画データが存在しないように、前記複数の画像データの表示位置を決定することを特徴とする画像表示装置。
【請求項１２】
動画データと静止画データとを含む複数の画像データを画面上に一覧表示させる画像表示装置であって、
前記複数の画像データの表示画面における表示位置を決定する決定手段と、
前記決定手段で決定された表示位置に各画像データを表示するように制御する表示制御手段程とを備え、
前記表示制御手段は、前記表示画面上の所定範囲内に複数の動画データが配置された場合、該複数の動画データのうちの一つの動画データを再生することを特徴とする画像表示装置。
【請求項１３】
請求項１乃至１０のいずれか１項に記載の画像表示方法をコンピュータに実行させるための制御プログラム。
【請求項１４】
請求項１３の制御プログラムを格納したことを特徴とするコンピュータ読み取り可能な記憶媒体。
【手続補正２】
【補正対象書類名】明細書
【補正対象項目名】００１３
【補正方法】変更
【補正の内容】
【００１３】
上記の目的を達成するための本発明による画像表示方法は、
動画データと静止画データとを含む複数の画像データを画面上に一覧表示させる画像表示方法であって、
前記複数の画像データの表示画面における表示位置を決定する決定工程と、
前記決定工程で決定された表示位置に各画像データを表示するように制御する表示制御工程とを備え、
前記決定工程は、前記表示画面上の所定範囲に複数の動画データが存在しないように、前記複数の画像データの表示位置を決定する。
また、上記の目的を達成するための本発明の他の態様による画像表示方法は、
動画データと静止画データとを含む複数の画像データを画面上に一覧表示させる画像表示方法であって、
前記複数の画像データの表示画面における表示位置を決定する決定工程と、
前記決定工程で決定された表示位置に各画像データを表示するように制御する表示制御工程とを備え、
前記表示制御工程は、前記表示画面上の所定範囲内に複数の動画データが配置された場合、該複数の動画データのうちの一つの動画データを再生する。
【手続補正３】
【補正対象書類名】明細書
【補正対象項目名】００１４
【補正方法】変更
【補正の内容】
【００１４】
また、上記の目的を達成するための本発明による画像表示装置は以下の構成を備える。すなわち、
動画データと静止画データとを含む複数の画像データを画面上に一覧表示させる画像表示装置であって、
前記複数の画像データの表示画面における表示位置を決定する決定手段と、
前記決定手段で決定された表示位置に各画像データを表示するように制御する表示制御手段とを備え、
前記決定手段は、前記表示画面上の所定範囲に複数の動画データが存在しないように、前記複数の画像データの表示位置を決定する。
更に、上記の目的を達成するための本発明の他の態様による画像表示装置は以下の構成を備える。すなわち、
動画データと静止画データとを含む複数の画像データを画面上に一覧表示させる画像表示装置であって、
前記複数の画像データの表示画面における表示位置を決定する決定手段と、
前記決定手段で決定された表示位置に各画像データを表示するように制御する表示制御手段程とを備え、
前記表示制御手段は、前記表示画面上の所定範囲内に複数の動画データが配置された場合、該複数の動画データのうちの一つの動画データを再生する。
【手続補正４】
【補正対象書類名】明細書
【補正対象項目名】発明の名称
【補正方法】変更
【補正の内容】
【発明の名称】画像表示装置及び画像表示方法
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
入力デバイスと第１の出力デバイス間でカラーマッチング処理を行ない、前記入力デバイスから入力した画像データを前記第１の出力デバイスで出力した場合の出力結果を第２の出力デバイスで出力する情報処理方法であって、
前記入力デバイスに依存する色空間で示される入力データを、入力側の観察条件に基づくデバイス非依存の色空間の第１のデータへ変換する第１の変換工程と、
前記該第１のデータに入力側の観察条件に応じた知覚モデルの順変換を施して、設定された色空間圧縮モードに応じた色知覚空間で示される第２のデータへ変換する第２の変換工程と、
前記第２のデータを、前記第１の出力デバイスの色再現領域に応じた色空間圧縮処理を施して第３のデータに変換する第３の変換工程と、
前記第３のデータを、前記第２の出力デバイスの色再現領域に応じた色空間圧縮処理を施して第４のデータに変換する第４の変換工程と、
前記第４のデータを前記第２の出力デバイスの知覚モデルによる逆変換を施して、前記第２出力デバイス側の観察条件に基づくデバイス非依存の色空間で示される第５のデータに変換する第５の変換工程と、
前記第５のデータを前記第２の出力デバイスに出力するため、前記第２の出力デバイスに依存する色空間で示される出力データへ変換する第６の変換工程と
を備えることを特徴とする情報処理方法。
【請求項２】
更に、前記第３の変換工程で求められた第３のデータを一時的に所定のメモリに格納する格納工程と、
前記第６の変換工程で可視出力された画像から、前記第１の出力デバイスに出力する、或いは、前記第１の変換工程から条件を変えて再度実行する、のいずれかの選択指示を入力する入力工程と、
該入力工程での入力が前記第１の出力デバイスへの出力指示である場合、前記格納工程で格納された第３のデータを、前記第１の出力デバイスの知覚モデルによる逆変換を施して、前記第１の出力デバイス側の観察条件に基づくデバイス非依存の色空間で示される第７のデータに変換する第７の変換工程と、
前記第７のデータを前記第１の出力デバイスに出力するため、前記第１の出力デバイスに依存する色空間で示される出力データへ変換する第８の変換工程と
を備えることを特徴とする請求項１に記載の情報処理方法。
【請求項３】
前記第１の出力デバイスはプリンタ、前記第２の出力デバイスは表示装置であることを特徴とする請求項１又は２に記載の情報処理方法。
【請求項４】
請求項１又は２に記載の各工程をコンピュータに実行させることを特徴とするコンピュータプログラム。
【請求項５】
請求項４に記載のコンピュータプログラムを格納したことを特徴とするコンピュータ可読記憶媒体。
【請求項６】
入力デバイスと第１の出力デバイス間でカラーマッチング処理を行ない、前記入力デバイスから入力した画像データを前記第１の出力デバイスで出力した場合の出力結果を第２の出力デバイスで出力する情報処理装置であって、
前記入力デバイスに依存する色空間で示される入力データを、入力側の観察条件に基づくデバイス非依存の色空間の第１のデータへ変換する第１の変換手段と、
前記該第１のデータに入力側の観察条件に応じた知覚モデルの順変換を施して、設定された色空間圧縮モードに応じた色知覚空間で示される第２のデータへ変換する第２の変換手段と、
前記第２のデータを、前記第１の出力デバイスの色再現領域に応じた色空間圧縮処理を施して第３のデータに変換する第３の変換手段と、
前記第３のデータを、前記第２の出力デバイスの色再現領域に応じた色空間圧縮処理を施して第４のデータに変換する第４の変換手段と、
前記第４のデータを前記第２の出力デバイスの知覚モデルによる逆変換を施して、前記第２出力デバイス側の観察条件に基づくデバイス非依存の色空間で示される第５のデータに変換する第５の変換手段と、
前記第５のデータを前記第２の出力デバイスに出力するため、前記第２の出力デバイスに依存する色空間で示される出力データへ変換する第６の変換手段と
を備えることを特徴とする情報処理装置。
【手続補正２】
【補正対象書類名】明細書
【補正対象項目名】００１３
【補正方法】変更
【補正の内容】
【００１３】
この課題を解決するため、本発明の情報処理方法は以下の工程を備える。すなわち、
入力デバイスと第１の出力デバイス間でカラーマッチング処理を行ない、前記入力デバイスから入力した画像データを前記第１の出力デバイスで出力した場合の出力結果を第２の出力デバイスで出力する情報処理方法であって、
前記入力デバイスに依存する色空間で示される入力データを、入力側の観察条件に基づくデバイス非依存の色空間の第１のデータへ変換する第１の変換工程と、
前記該第１のデータに入力側の観察条件に応じた知覚モデルの順変換を施して、設定された色空間圧縮モードに応じた色知覚空間で示される第２のデータへ変換する第２の変換工程と、
前記第２のデータを、前記第１の出力デバイスの色再現領域に応じた色空間圧縮処理を施して第３のデータに変換する第３の変換工程と、
前記第３のデータを、前記第２の出力デバイスの色再現領域に応じた色空間圧縮処理を施して第４のデータに変換する第４の変換工程と、
前記第４のデータを前記第２の出力デバイスの知覚モデルによる逆変換を施して、前記第２出力デバイス側の観察条件に基づくデバイス非依存の色空間で示される第５のデータに変換する第５の変換工程と、
前記第５のデータを前記第２の出力デバイスに出力するため、前記第２の出力デバイスに依存する色空間で示される出力データへ変換する第６の変換工程とを備える。
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
撮像装置の外郭をなすフレームと、
前記フレームに取り外し可能に装着され、被写体を撮像して画像データを生成する撮像ユニット本体と、
前記フレームに取り外し可能に装着され、ユーザが把持するためのグリップユニットとを有し、
前記撮像ユニット本体と前記フレームとの間は、前記フレームの内側の面を操作者が把持可能なように、空間が形成されていることを特徴とする撮像装置。
【請求項２】
前記フレームには前記ユニットを電気的に接続するための接続部が設けられていることを特徴とする請求項１に記載の撮像装置。
【請求項３】
前記フレームの外面及び内面の少なくともいずれかに、前記撮像装置を操作する操作者によって操作される操作部材が設けられていることを特徴とする請求項１又は２に記載の撮像装置。
【手続補正２】
【補正対象書類名】明細書
【補正対象項目名】０００７
【補正方法】変更
【補正の内容】
【０００７】
上記の目的を達成するために、本発明による撮像装置は、撮像装置の外郭をなすフレームと、前記フレームに取り外し可能に装着され、被写体を撮像して画像データを生成する撮像ユニット本体と、前記フレームに取り外し可能に装着され、ユーザが把持するためのグリップユニットとを有し、前記撮像ユニット本体と前記フレームとの間は、前記フレームの内側の面を操作者が把持可能なように、空間が形成されていることを特徴とする。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
カメラと前記カメラに接続されるクレードル装置とを有するシステムであって、
前記カメラは、
前記クレードル装置の識別子を取得する取得手段と、
前記取得手段によって取得された識別子と予めメモリに記憶された識別子とを比較する比較手段と、
前記比較手段の結果に基づいて前記システムにアクセスする外部装置のアクセスレベルを設定する設定手段と
を具備し、
前記クレードル装置は、
前記カメラのパン及びチルトのうち少なくとも１つを駆動する駆動手段と、
前記設定手段によって設定されたアクセスレベルに基づいて前記駆動手段による駆動を制限する制御手段と
を具備することを特徴とするシステム。
【請求項２】
前記カメラは、
前記設定手段によって設定されたアクセスレベルに基づいて前記カメラに保存された画像への前記外部装置によるアクセスを制御する手段
を更に具備することを特徴とする請求項１に記載のシステム。
【請求項３】
前記カメラは、
前記設定手段によって設定されたアクセスレベルに基づいて前記カメラによってリアルタイムに撮影される動画への前記外部装置によるアクセスを制御する手段
を更に具備することを特徴とする請求項１に記載のシステム。
【請求項４】
前記メモリには、
前記アクセスレベルに対応してユーザ名及びパスワードが記憶されており、
前記ユーザ名及びパスワードによる認証に成功した場合には、前記設定手段により設定されたアクセスレベルを、該ユーザ名及びパスワードに対応して設けられるアクセスレベルに変更する変更手段
を更に具備することを特徴とする請求項１記載のシステム。
【請求項５】
カメラと前記カメラに接続されるクレードル装置とを有するシステムの制御方法であって、
前記カメラは、
前記クレードル装置の識別子を取得する取得工程と、
前記取得工程で取得された識別子と予めメモリに記憶された識別子とを比較する比較工程と、
前記比較工程での結果に基づいて前記システムにアクセスする外部装置のアクセスレベルを設定する設定工程と
を含み、
前記クレードル装置は、
前記カメラのパン及びチルトのうち少なくとも１つを駆動する駆動工程と、
前記設定工程で設定されたアクセスレベルに基づいて前記駆動工程での駆動を制限する制御工程と
を含むことを特徴とするシステムの制御方法。
【手続補正２】
【補正対象書類名】明細書
【補正対象項目名】発明の名称
【補正方法】変更
【補正の内容】
【発明の名称】システム及びその制御方法
【手続補正３】
【補正対象書類名】明細書
【補正対象項目名】０００１
【補正方法】変更
【補正の内容】
【０００１】
本発明は、システム及びその制御方法に関する。
【手続補正４】
【補正対象書類名】明細書
【補正対象項目名】０００６
【補正方法】変更
【補正の内容】
【０００６】
上記目的を達成するため、本発明の一態様は、
カメラと前記カメラに接続されるクレードル装置とを有するシステムであって、
前記カメラは、
前記クレードル装置の識別子を取得する取得手段と、
前記取得手段によって取得された識別子と予めメモリに記憶された識別子とを比較する比較手段と、
前記比較手段の結果に基づいて前記システムにアクセスする外部装置のアクセスレベルを設定する設定手段と
を具備し、
前記クレードル装置は、
前記カメラのパン及びチルトのうち少なくとも１つを駆動する駆動手段と、
前記設定手段によって設定されたアクセスレベルに基づいて前記駆動手段による駆動を制限する制御手段と
を具備することを特徴とする。
【手続補正５】
【補正対象書類名】明細書
【補正対象項目名】０００７
【補正方法】変更
【補正の内容】
【０００７】
また、本発明の一態様は、
カメラと前記カメラに接続されるクレードル装置とを有するシステムの制御方法であって、
前記カメラは、
前記クレードル装置の識別子を取得する取得工程と、
前記取得工程で取得された識別子と予めメモリに記憶された識別子とを比較する比較工程と、
前記比較工程での結果に基づいて前記システムにアクセスする外部装置のアクセスレベルを設定する設定工程と
を含み、
前記クレードル装置は、
前記カメラのパン及びチルトのうち少なくとも１つを駆動する駆動工程と、
前記設定工程で設定されたアクセスレベルに基づいて前記駆動工程での駆動を制限する制御工程と
を含むことを特徴とする。
【手続補正６】
【補正対象書類名】明細書
【補正対象項目名】０００８
【補正方法】削除
【補正の内容】